(57)【要約】【課題】  表示記録媒体１の機能を活用して所定の表出形式で表示部１１に画像を書込めるようにする。【解決手段】  表示記録媒体１を書込装置２に装着すると、読取手段２１が記憶手段１２から形式情報を読取り、書込制御手段（画像生成手段）２２が、コンテンツの画像を読取った形式情報に応じた形式に生成し、書込手段２３がこの生成された画像データで表示部１１を駆動させて、生成された画像を表示部１１に表出保持させる。【選択図】  図３
2008084148.tif 000002
【特許請求の範囲】
【請求項１】
書込外力に応じて画像が書換可能に形成され且つ当該書込外力を除去した後も形成された画像を表示保持する表示記録媒体と、前記表示記録媒体に書込外力を与えて当該表示記録媒体に画像を書込む書込装置と、を備え、
前記表示記録媒体は、書き込み画像の表出形式を指定するための形式情報を外部から読取り可能に記憶した記憶手段を有し、
前記書込装置は、前記記憶手段から形式情報を読取る読取手段と、当該読取った形式情報に応じた画像を生成する画像生成手段と、前記形式情報を読取った表示記録媒体に書込外力を及ぼして当該生成された画像を書込む書込手段と、を有することを特徴とする画像書込システム。
【請求項２】
前記形式情報は、表示記録媒体の表示能力に応じた形式であり、
前記画像生成手段は、当該表示能力に応じた形式で書込対象の画像を生成することを特徴とする請求項１に記載の画像書込システム。
【請求項３】
前記形式情報は、利用者により予め設定された表示形式であり、
前記画像生成手段は、当該表示形式で書込対象の画像を生成することを特徴とする請求項１に記載の画像書込システム。
【請求項４】
前記記憶手段は、書き込み画像の表出形式を指定するための識別情報を形式情報として外部から読取り可能に記憶しており、
前記書込装置は、前記識別情報と形式を指定する実データとを対応付ける対応付手段を更に有し、
前記画像生成手段は、当該読取った形式情報に対応する実データに応じて画像を生成することを特徴とする請求項１乃至３のいずれか１項に記載の画像書込システム。
【請求項５】
書込外力に応じて画像が書換可能に形成され且つ当該書込外力を除去した後も形成された画像を表示保持する表示記録媒体に設けられた記憶手段から書き込み画像の表出形式を指定するための形式情報を読取る読取手段と、
当該読取った形式情報に応じた画像を生成する画像生成手段と、
前記形式情報を読取った表示記録媒体に書込外力を及ぼして当該生成された画像を書込む書込手段と、
を有することを特徴とする書込装置。
【請求項６】
書込外力に応じて画像が書換可能に形成され且つ当該書込外力を除去した後も形成された画像を表示保持する表示部と、
前記書込外力を与えて当該表示記録媒体に画像を書込む書込装置が所定の表出形式で画像を前記表示部に書込ませるために、書き込み画像の表出形式を指定するための形式情報を当該書込装置から読取り可能に記憶した記憶手段と、
を有することを特徴とする表示記録媒体。
【請求項７】
コンピュータを、
書込外力に応じて画像が書換可能に形成され且つ当該書込外力を除去した後も形成された画像を表示保持する表示記録媒体に設けられた記憶手段から書き込み画像の表出形式を指定するための形式情報を読取る読取手段と、
当該読取った形式情報に応じた画像を生成する画像生成手段と、
前記形式情報を読取った表示記録媒体に書込外力を及ぼして当該生成された画像を書込む書込手段と、
して機能させるためのプログラム。
【発明の詳細な説明】
【技術分野】
【０００１】
本発明は、書込外力に応じて画像が書換可能に形成され且つ当該書込外力を除去した後も形成された画像を表示保持する表示記録媒体に、所定の形式で画像を書込む技術に関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示記録媒体が研究開発されている。
その一例として、媒体に対して電子的な変化を与える書込外力により、画像が書換可能に形成され且つ当該書込外力を除去した後も形成された画像を表示保持する表示記録媒体として、電子ペーパー等と称せられる表示記録媒体が知られている。
【０００３】
このような表示記録媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパーと称せられることが多い。
【０００４】
なお、電子ペーパーと称せられる表示記録媒体は、通常、表示部と一体化された記憶手段を有しており、媒体の識別コード等といった電子情報を記憶手段に外部から読取り可能に保持し、電子情報を画像の書込制御等に用いることができるようになっている。
また、このような表示記録媒体は、繰り返し書き込み使用が可能な紙のような表示媒体としての利用を想定しているため、通常、媒体単独での表示書換機能を備えず、書換対象となる表示記録媒体の交換が可能な書き込み装置に表示記録媒体をセットすることにより、画像の書き込みが行われ、そして、画像が書き込まれた表示記録媒体は書き込み装置から外されて書込形成した画像の閲覧に用いられる。
【０００５】
ところで、コンピュータからプリンタを通じて紙媒体に画像を印刷する場合、その表示形式は、画像の書き込み時に予め設定された出力サイズをユーザが所望のサイズに変更して設定したり、画像の原稿サイズと紙媒体サイズに応じて自動的に拡縮するものがあった。
また、紙媒体とは異なり常時電気的に画像表示が更新される液晶パネル等の画像表示装置上でドットマトリクス表示を行う場合には、画像のドットと表示装置の画素を一対一に対応させて、はみ出し部分をスクロールにより表示させたり、表示画像のサイズの拡縮により表示させる手法があった。
【０００６】
何度でも書き換え可能な記録媒体に記録された画像を、必要に応じてデジタル情報として入手し、例えば再加工や再利用を容易に行うことができる情報書き込みシステムが提案されている（特許文献１参照。）。
この情報書き込みシステムでは、媒体書き込み装置は、記録媒体に書き込むべき画像情報を取得して、その情報を適宜書き込み可能な形式に変換して記録媒体に書き込む。また 、ＩＤ取得部は、その記録媒体から、あるいはユーザの入力によって媒体ＩＤを取得する。媒体ＩＤと書き込んだ画像情報の所在を示す情報がサーバに送られ 、両者を対応づけたインデックス情報として保存される。後で記録媒体に書き込んだ画像情報を再利用する際は、媒体ＩＤを特定してサーバからインデックス情報を取得すれば、元の画像情報を取得することができ、再利用、再加工を容易に行うことができる。
【０００７】
また、可搬性表示記録媒体へのコンテンツの表示処理、可搬性表示記録媒体のユーザ間での受け渡し等といったコンテンツの利用に係るユーザの行動を管理し、更には解析することを可能ならしめるシステムが提案されている（特許文献２参照）。
このシステムでは、ユーザが可搬性表示記録媒体によりコンテンツ提供装置から表示用コンテンツを取得すると、ユーザＩＤ、可搬性表示記録媒体のデバイスＩＤ、コンテンツＩＤと取得の時刻情報を管理装置に通知し、管理装置のログＤＢに記録する。可搬性表示記録媒体による表示コンテンツの切り替え等についても、同様に通知してログＤＢに記録する。そして、検索装置でログＤＢを検索し、例えば、ユーザＩＤをキーとすることにより、或るユーザがどの可搬性表示記録媒体を所有してきたかという変遷やどのコンテンツを利用してきたかという変遷を把握することができる。
【０００８】
また、安価な構成で表示内容の変更にも柔軟に対応でき、表示内容のリアルタイムな把握が可能な表示情報管理システムが提案されている（特許文献３参照。）。
この表示情報管理システムは、表示記録媒体、情報読取書込装置、無線通信部及びストレージが接続され、かつ情報読取書込装置と無線通信部を介して情報の授受が可能なホストコンピュータを含んで構成されている。表示記録媒体には媒体識別コード、表示情報識別コード、及び表示情報が記録されている。コード情報読取部は媒体識別コードを読み取ってホストコンピュータへ送信する。書き換え要求がある場合、情報書込部はホストコンピュータから送信された表示情報識別コード及び表示情報を表示記録媒体へ書き込む。
【特許文献１】特開２００４−１３９５４８号公報
【特許文献２】特開２００５―２６７１４７号公報
【特許文献３】特開２００２―２０３２１３号公報
【発明の開示】
【発明が解決しようとする課題】
【０００９】
上記のような表示記録媒体に画像を書込む場合には、紙媒体への印刷のように書き込み装置側で表示形式を設定したり、媒体のサイズ等に応じた表示形式を自動的に設定することもできるが、表示記録媒体への画像の書込処理は十分な検討がなされていなかった。
本発明は、上記従来の事情に鑑みなされたものであり、表示記録媒体の機能を活用することで、例えば、表示記録媒体や利用者に合った形式、或いは、表示記録媒体の表示能力に合った形式といったように所定の表出形式で表示記録媒体に画像を書込めるようにすることを目的としている。
【課題を解決するための手段】
【００１０】
請求項１の画像書込システムは、書込外力に応じて画像が書換可能に形成され且つ当該書込外力を除去した後も形成された画像を表示保持する表示記録媒体と、前記表示記録媒体に書込外力を与えて当該表示記録媒体に画像を書込む書込装置と、を備え、前記表示記録媒体は、書き込み画像の表出形式を指定するための形式情報を外部から読取り可能に記憶した記憶手段を有し、前記書込装置は、前記記憶手段から形式情報を読取る読取手段と、当該読取った形式情報に応じた画像を生成する画像生成手段と、前記形式情報を読取った表示記録媒体に書込外力を及ぼして当該生成された画像を書込む書込手段と、を有することを特徴とする。
【００１１】
請求項２の画像書込システムは、請求項１の画像書込システムにおいて、前記形式情報は、表示記録媒体の表示能力に応じた形式であり、前記画像生成手段は、当該表示能力に応じた形式で書込対象の画像を生成することを特徴とする。
【００１２】
請求項３の画像書込システムは、請求項１の画像書込システムにおいて、前記形式情報は、利用者により予め設定された表示形式であり、前記画像生成手段は、当該表示形式で書込対象の画像を生成することを特徴とする。
【００１３】
請求項４の画像書込システムは、請求項１乃至３のいずれか１項の画像書込システムにおいて、前記記憶手段は、書き込み画像の表出形式を指定するための識別情報を形式情報として外部から読取り可能に記憶しており、前記書込装置は、前記識別情報と形式を指定する実データとを対応付ける対応付手段を更に有し、前記画像生成手段は、当該読取った形式情報に対応する実データに応じて画像を生成することを特徴とする。
【００１４】
請求項５の書込装置は、書込外力に応じて画像が書換可能に形成され且つ当該書込外力を除去した後も形成された画像を表示保持する表示記録媒体に設けられた記憶手段から書き込み画像の表出形式を指定するための形式情報を読取る読取手段と、当該読取った形式情報に応じた画像を生成する画像生成手段と、前記形式情報を読取った表示記録媒体に書込外力を及ぼして当該生成された画像を書込む書込手段と、を有することを特徴とする。
【００１５】
請求項６の表示記録媒体は、書込外力に応じて画像が書換可能に形成され且つ当該書込外力を除去した後も形成された画像を表示保持する表示部と、前記書込外力を与えて当該表示記録媒体に画像を書込む書込装置が所定の表出形式の画像を前記表示部に書込ませるために、書き込み画像の表出形式を指定するための形式情報を当該書込装置から読取り可能に記憶した記憶手段と、を有することを特徴とする。
【００１６】
請求項７のコンピュータプログラムは、コンピュータを、書込外力に応じて画像が書換可能に形成され且つ当該書込外力を除去した後も形成された画像を表示保持する表示記録媒体に設けられた記憶手段から書き込み画像の表出形式を指定するための形式情報を読取る読取手段と、当該読取った形式情報に応じた画像を生成する画像生成手段と、前記形式情報を読取った表示記録媒体に書込外力を及ぼして当該生成された画像を書込む書込手段と、して機能させることを特徴とする。
【発明の効果】
【００１７】
請求項１の画像書込システムによると、表示記録媒体が書き込み画像の表出形式を指定するための形式情報が記憶された記憶手段を有しており、記憶手段から読取ったこの形式情報に応じた画像を表示記録媒体に書込むことができるため、所定の表出形式で表示記録媒体に画像を書込むことができる。
【００１８】
請求項２の画像書込システムによると、さらに、表示記録媒体の表示部のサイズ、表示部の精細度、表示部のカラー表示等といった表示記録媒体の表示能力に応じた形式で、表示記録媒体に画像を書込んで保持させることができる。
【００１９】
請求項３の画像書込システムによると、さらに、画像を拡大又は縮小して書込む、複数ページの画像を縮小して１ページの画像にまとめて書込む等といった利用者により予め設定された表示形式で、表示記録媒体に画像を書込んで保持させることができる。
【００２０】
請求項４の画像書込システムによると、さらに、実データより小さな識別情報で形式情報を表示記録媒体に記録することができるので、表示記録媒体の記憶手段を小型化或いは簡単化することができる。これにより、例えば、記憶手段を表示記録媒体に貼着されるバーコードテープとすることもできる。
【００２１】
請求項５の書込装置によると、表示記録媒体から読取った形式情報に応じた画像を表示記録媒体に書込むことができるため、表示記録媒体の機能を活用して、所定の形式で表示記録媒体に画像を書込むことができる。
【００２２】
請求項６の表示記録媒によると、書込装置に読取られた形式情報に応じた画像が書込まれるため、表示記録媒体の機能を活用して所定の表出形式で画像が書込まれ、これを表示保持することができる。
【００２３】
請求項７のコンピュータプログラムによると、コンピュータ資源を利用して、表示記録媒体の機能を活用して所定の表出形式で表示記録媒体に画像を書込むことができる書込装置を実現することができる。
【発明を実施するための最良の形態】
【００２４】
本発明を実施例に基づいて具体的に説明する。
図１には、本例に係る画像書込システムの構成を示してある。
画像書込システムは、書込外力に応じて画像が書換可能に形成され且つ書込外力を除去した後も形成された画像を表示保持する表示記録媒体１と、表示記録媒体１に書込外力を与えて表示記録媒体１に画像を書込む書込装置２とを備えて構成される。
【００２５】
表示記録媒体１は、書込まれた画像を表示保持する表示部１１と、書き込み画像の表出形式を指定するための形式情報を外部から読取り可能に記憶した記憶手段１２とを有している。
表示記録媒体１は紙の様に薄型で柔軟性を有する装置であり、表示部１１としては書込方法に応じた種々な態様を採用することができる。電気、磁気、熱といった外力を直接印加して素子を駆動するもの、あるいは光照射に伴う電圧変化により素子を駆動するものや、電圧印加に伴う
液体のＰＨ変化により呈色状態を変化させる等、連鎖的に素子を駆動する表示原理を用いるものであってもよい。また全面書き換え方式や、記録ヘッドの移動によるライン書き換え方式、単純マトリクス駆動やアクティブマトリクス駆動による電気的な走査書き換え方式であってもよい。
【００２６】
例えば、電気的に画像を書込む方法の表示部１１は、微細な着色帯電粒子を少なくとも表面側が透明な表裏一対のマトリックス電極間に封入し、これを少なくとも表面側が透明な表裏一対のフィルム基板で挟んだ構造として、黒色の着色粒子と白色の着色粒子とが電極が正又は負に印加されることで表示媒体の表面側と裏面側との相反する面に留まるような構成としている。
したがって、電極に電圧を印加していない状態（無電源状態）では、負に帯電した白色粒子は裏面側に溜まる一方、正に帯電した黒色粒子は表面側に溜まり、表示部１１を表面側から目視すると黒色な状態となる。そして、電子データに基づいて表示する画像に応じたマトリックスの所要部の電極極性を反転させると、白色粒子と黒色粒子との位置関係が入れ替わって、白色粒子と黒色粒子とのコントラストによる画像が表示される。なお、異なる電子データに基づいてマトリックス電極を動作させることにより、白色粒子と黒色粒子とのコントラストにより表示される画像を切り換えることができ、幾度も再使用することができる。
【００２７】
また、例えば、光により画像を書込む方法の表示部１１は、複写機に利用されている有機光導電性材料の層（有機光導電層）と液晶表示材料の層（マイクロカプセル化したコレステリック液晶層）とを組み合わせ、これら層を表裏一対の透明電極で挟み、この積層体を表裏一対の透明な基材フィルムで挟んだ構造とし、画像書込み用の調光素子パネル（発光パネル）に転写する画像を表示して表示部１１に投影し、電極に電圧を印加すると、光の強弱を瞬時に反射濃度に変換して当該投影画像を電圧を除去した後でも保持するようにする。そして、電極に消去電圧を印加することにより表示保持された画像を消去することができ、書き込みと消去を繰り返して幾度も再使用することができる。
【００２８】
記憶手段１１は、記憶情報の読取り方法に応じた種々な態様を採用することができる。
例えば、記憶手段１１は、書き込み画像の表出形式を指定するための形式情報を電子データで記憶するメモリと、外部からの無線或いは有線接続によるアクセスに応じてメモリの電子データを送信する送信機能とを有した構成とすることができる。
また、例えば、記憶手段１１は、形式情報をコード化して印刷したバーコードテープ等の光学的に読み取られる態様とすることもできる。
なお、記憶手段１１には、形式情報以外の情報、例えば媒体識別コードやユーザ識別コード等の他の情報がさらに記憶されていてもよい。
【００２９】
記憶手段１１に記憶される書き込み画像の表出形式を指定するための形式情報は、表示記録媒体１の表示部１１による表示能力に応じた形式を表す情報や、利用者により予め設定された表示形式を表す情報である。言い換えれば、画像を構成する元データを表示記録媒体１の表示部１１に表出させるときの画像の外観を決定するために用いられる情報であり、電子ファイルのデータ内部構造を特定するために使われるファイル形式とは異なるものである。
【００３０】
表示部１１による表示能力に応じた形式としては、例えば、表示部１１のサイズ、表示部１１の解像度、表示部１１のカラー表示可能か否か等といった表示記録媒体１自体の画像表示能力を採用できる。
利用者により予め設定された表示形式としては、例えば、画像の表示倍率の指定、複数ページの画像を１枚にまとめて書き込み表示する指定、カラー画像をモノクロ画像として表示する指定等といった利用者が画像の表示形式について任意に指定できる表示画像の加工条件を採用できる。
【００３１】
なお、ここでいう利用者とは、表示記録媒体１を閲覧する者だけでなく、表示記録媒体を利用させる者も含む。即ち、形式情報は、閲覧者だけではなく、表示記録媒体や表示情報の提供者を含め、本システムを利用する者の少なくともいずれかが設定できるものである。
記憶情報１２への形式手段は、不揮発性メモリを用いて書き換え不可能に予め記憶させるほか、フラッシュメモリを用いて書き換え可能に構成することもできる。
【００３２】
特に閲覧者が設定可能とする場合には、書き込み装置２あるいは有線あるいは無線によるメモリアクセス手段を有するコンピュータ等の形式情報設定手段を介して形式の設定およびメモリの書き込みを行うように構成する。
一方、媒体もしくは情報を提供する側が形式情報を設定する場合には形式情報の書き換えを禁止もしくは制限するように構成することで、媒体もしくは情報を提供する側が予め設定した形式で表示をさせることが可能となる。
【００３３】
このような形式情報の書き換えを禁止または制限する場合には、形式情報設定手段に、表示記録媒体１から媒体ＩＤおよび/または形式情報を変更しようとする者等のユーザＩＤをユーザＩＤ取得手段から取得し、これを認証してから書き込みを実行するように構成すればよい。
また、電子ペーパーのように多数枚の表示記録媒体１を使用する場合には、一枚ずつ同じ設定を行うのは手間がかかるため、媒体の表示能力に関わらない表示形式の情報を形式情報設定手段で設定しておき、この形式情報を利用して、複数の表示記録媒体１の記憶手段１２への書き込みを順次行うようにすることが望ましい。
【００３４】
表示記録媒体１は形式情報を記憶手段１２に予め記憶させて使用され、記憶手段１２に記憶させる形式情報は上記の表示能力に係る形式情報と利用者により設定される形式情報とのいずれか一方、或いは、両方であってよい。また、形式情報としては、例えば表示部１１のサイズと表示部１１の解像度といったように複数種類を設定してもよい。
また、形式情報の実体である実データで記憶手段１２に記録させて、その実データが書込装置２に読み取られるようにしてもよく、或いは、書込装置２に形式情報の実データと当該形式情報を識別する識別情報とを対応付けるテーブル等の対応付手段を設け、形式情報の実データに対応する識別情報を記憶手段１２に記録させて、その識別情報が書込装置２に読み取られるようにしてもよい。
【００３５】
書込装置２は、表示記録媒体１の記憶手段１２から形式情報を読取る読取手段２１、当該読取った形式情報に応じたコンテンツ画像を生成する書込制御手段（画像生成手段）２２、前記形式情報を読取った表示記録媒体１に書込外力を及ぼして当該生成されたコンテンツの画像を書込む書込手段２３、また記憶手段１２の形式情報のうち利用者が設定可能な項目を書き換える形式情報設定手段（図示せず）を備えている。
なお、図１に示す例の書込装置２は、書込画像となるコンテンツデータを記憶したコンテンツデータベース２５、オペレータの書込み操作に必要な種々な情報を画面表示する表示手段２６、書込制御手段２２に対する種々な操作入力をオペレータから受け付ける操作手段２７を備えている。
【００３６】
読取手段２１は記憶手段１２に記憶されている形式情報を読み取り、書込制御手段２２に入力する。
読取手段２１は記憶手段１２の態様に応じて種々なものを採用することができ、例えば、記憶手段１２をＩＤタグのような無線アクセス可能な装置とした場合には、読取手段２１は所定の近接範囲にアクセス電波を送信して当該範囲内の記憶手段１２を励起してその記憶情報を非接触で読み取る無線アクセス装置とすることができ、或いは、記憶手段１２を読み取り端子を有したメモリ装置とした場合には、読取手段２１は当該読取端子に接続して記憶情報を読み取るアクセス端子を有した読取装置とすることができ、或いは、記憶手段１２を形式情報のコードを印刷したコードテープとした場合には、読取手段２１は当該コードを光学的に読み取って情報化する読取装置とすることができる。
【００３７】
書込制御手段２２は、操作手段２７からの指示で選択された形式情報を読取った表示記録媒体１に書込むコンテンツ画像データをコンテンツデータベース２５から取得して、当該コンテンツの画像を読取った形式情報に応じた外観で表示部１１で表出されるように画像データを生成する。
すなわち、図１の例では、対応付け手段２４を参照して、形式情報で指定された表示能力やレイアウト等に応じた表出形式の画像データを生成する。
【００３８】
書込手段２３は、書込制御手段２２で生成された画像を前記形式情報を読取った表示記録媒体１の表示部１１に書込外力を与えて書込む。
書込手段２３は、表示部１１の態様に応じて種々なものを採用することができ、例えば、表示部１１を投影された画像を表示保持する光により画像を書込む態様のものとした場合には、書込手段２３は書込電圧の印加及び画像の投影という書込外力を与える装置として、表示部１１に書込電圧を与えて画像を投影することで表示部１１に画像を書込むようにすることができ、或いは、表示部１１を着色粒子が封入されたマトリックス電極間に画像データに応じて電圧を印加することで画像を電気的に書込む態様のものとした場合には、書込手段２３はマトリックス電極を駆動するために表示部１１に設けられたドライバに画像データという書込外力を与える装置として、書込画像のデータに応じて表示部１１に画像を書込むようにすることができる。
【００３９】
マトリクス電極駆動による表示記録媒体１は、軽量、安価かつ消費電力が小さい構成であることが望まれることから、画像データとしての表示部１１で表示されるラスタデータ（ビットマップイメージデータ）の生成を書込制御手段２２側で行い、表示部１１に設けられたドライバ側ではマトリクス電極の選択駆動のみを行うように構成するか、あるいは書き込み装置２からのデータ通信量を低減するためにラスタデータを圧縮して送出する場合には、画像展開と比べて負荷の小さい圧縮データの復号処理をさらに行うようにすることが望ましい。      
【００４０】
なお、書込装置２の少なくとも読取手段２１、書込制御手段２２、書込手段２３の機能は、コンピュータで本発明に係るプログラムを実行することで構成することができ、書込装置２をコンピュータのハードウエアを利用して構成することができる。
【００４１】
ここで、図１に示す例では、記憶手段１２に形式情報を識別情報として記憶させる態様であるため、書込装置２には、識別情報と形式情報の実データとを対応付けるテーブルを有する対応付手段２４が備えられており、書込制御手段２２が、表示記録媒体１から読み取った識別情報を対応付手段２４を参照して形式情報の実データを特定し、当該形式情報に応じて表示部１１に表出させる画像を生成する。
【００４２】
対応付手段２４には、例えば図２に示すように、形式情報の識別情報として、例えば、書き込み画像の表示形式を一意に特定する形式ＩＤ、表示記録媒体を一意に特定する媒体ＩＤ、利用者を一意に特定する利用者ＩＤ、表示記録媒体の表示能力を一意に特定する能力ＩＤ等が用いられ、これら識別情報に対応付けて形式情報の実データが設定されている。
【００４３】
形式ＩＤは例えば画像の大きさ、フォント、カラー等といった表示画像の総合的な形式を特定する識別情報であり、形式ＩＤに対応して設定された形式に画像を生成するための実データがテーブルに記述されている。
媒体ＩＤは個々の表示記録媒体１を特定する識別情報であり、表示記録媒体毎に予め設定された形式に画像を生成するための実データがテーブルに記述されている。
【００４４】
利用者ＩＤは表示記録媒体１の利用者を特定する識別情報であり、利用者毎に予め設定された形式に画像を生成するための実データがテーブルに記述されている。
能力ＩＤは表示記録媒体１の表示能力を特定する識別情報であり、表示記録媒体毎に予め設定された形式に画像を生成するための実データがテーブルに記述されている。
【００４５】
すなわち、書込制御手段２２が読取った形式ＩＤ等の識別情報により対応付け手段２４を参照することで、当該識別情報に対応する形式情報の実データを取得して、表示記録媒体１に書込む画像を識別情報に対応する形式に生成することができる。
なお、形式ＩＤ、媒体ＩＤ、利用者ＩＤ、能力ＩＤ等は形式情報の種類に応じて任意に設定されればよく、また、複数種類の識別情報の組合せで形式情報を特定して画像を生成するようにしてもよい。
また、対応付手段２４は書込装置２の外部に設けて、書込制御手段２２が必要に応じてネットワークアクセス等で対応付手段２４から実データを取得するようにしてもよい。
【００４６】
図３には、本発明の画像書込システムに係る具体的な一例を示してある。
図３に示す書込装置２は、電気的に画像を書込む表示記録媒体１を交換可能に装着するバインダ形式の装置であり、外部に設けたコンテンツデータベース２５から書き込み対象のコンテンツ画像データを無線通信により取得する機能を有している。
【００４７】
また、この書込装置２は、表示記録媒体１を装着するバインダの一面に読取手段２１と書込手段２３が設けられており、バインダの他面にオペレータに必要な情報を画面表示するタッチパネル式の表示手段２６と、ペンを画面２６に接触させることで操作入力を受け付ける方式の操作手段２７が設けられている。
【００４８】
この画像書込システムでは、表示記録媒体１を書込装置２に装着すると、記憶手段１と読取手段２１とが接続し、また、書込手段２３が表示記録媒体１に設けられた書込端子（図示せず）に接続する。
この状態で、書込装置２にオペレータが書き込み開始の操作を入力すると、読取手段２１が記憶手段１２から形式情報を読取り、書込制御手段２２が、該当するコンテンツ画像データをコンテンツデータベース２５から取得して、当該コンテンツの画像を読取った形式情報に応じた形式に画像データを生成し、書込手段２３がこの生成された画像データで書込端子から表示部１１を駆動させて、生成された画像を表示部１１に表出保持させる。
【図面の簡単な説明】
【００４９】
【図１】本発明の一例に係る画像書込システムの構成図である。
【図２】本発明に一例に係る識別情報を説明する図である。
【図３】本発明の一例に係る画像書込システムを説明する図である
【符号の説明】
【００５０】
１：表示記録媒体、  ２：書込装置、
１１：表示部、  １２：記憶手段、
２１：書込手段、  ２２：書込制御手段（画像生成手段）、
２３：書込手段、  ２４：対応付手段、
【図１】
2008084148.tif 000003
【図２】
2008084148.tif 000004
【図３】
2008084148.tif 000005